【手続補正書】
【提出日】平成18年5月26日(2006.5.26)
【手続補正１】
【補正対象書類名】特許請求の範囲
【補正対象項目名】全文
【補正方法】変更
【補正の内容】
【特許請求の範囲】
【請求項１】
他の物に貼付ける為の接着面を片側全面に持つＩＣシールにおいて、
データを記憶する記憶装置を有するＩＣチップと、
前記ＩＣチップが外部と非接触で通信するために利用する通信装置とを有し、
当該ＩＣシールは、前記ＩＣチップを含む第１の部分と前記通信装置を含む前記第２の部分に分離可能であり、
前記第１の部分と前記第２の部分は共に、前記接着面を有し、
前記第１の部分と前記第２の部分とが結合された場合に、前記ＩＣチップは前記通信装置を利用して前記外部と通信可能であり、
前記第１の部分と前記第２の部分とが分離された場合に、前記ＩＣチップは前記通信装置を利用して前記外部と通信不可能であることを特徴とするＩＣシール。
【請求項２】
当該ＩＣシールが前記他の物から剥がされる場合に、前記第１の部分と前記第２の部分とが分離することを特徴とする請求項１に記載のＩＣシール。
【請求項３】
当該ＩＣシールが前記他の物から剥がされる場合に、前記第１の部分は前記他の物に残り前記第２の部分は前記他の物から剥がれることにより、前記第１の部分と前記第２の部分とが分離することを特徴とする請求項２に記載のＩＣシール。
【請求項４】
前記第１の部分と前記第２の部分は共に、前記接着面を片側全面に有することを特徴とする請求項１から３の何れかに記載のＩＣシール。
【請求項５】
前記第１の部分の前記接着面の粘着力は、前記第２の部分の前記接着面の粘着力と異なることを特徴とする請求項１から３の何れかに記載のＩＣシール。
【請求項６】
前記第１の部分の前記接着面の粘着力は、前記第２の部分の前記接着面の粘着力よりも強いことを特徴とする請求項１から３の何れかに記載のＩＣシール。
【請求項７】
前記第２の部分の前記接着面の一部が前記第１の部分に貼付けられることにより、前記第１の部分と前記第２の部分とが結合されることする請求項１から６の何れかに記載のＩＣシール。
【請求項８】
前記通信装置は、前記ＩＣチップに対して、当該ＩＣシールの前記接着面の反対側に配置されることを特徴とする請求項１から６の何れかに記載のＩＣシール。
【請求項９】
前記接着面の反対側に形成される記述面を有することを特徴とする請求項１から８の何れかに記載のＩＣシール。
【請求項１０】
他の物に貼付ける為の接着面を持つＩＣシールにおいて、
データを記憶する記憶装置を有するＩＣチップと、
前記ＩＣチップが外部と非接触で通信するために利用する通信装置とを有し、
当該ＩＣシールは、前記ＩＣチップを含む第１の部分と前記通信装置を含む前記第２の部分に分離可能であり、
前記第１の部分と前記第２の部分は共に、前記接着面を有し、
前記第１の部分の前記接着面の粘着力は、前記第２の部分の前記接着面の粘着力よりも強く、
前記第１の部分と前記第２の部分とが結合された場合に、前記ＩＣチップは前記通信装置を利用して前記外部と通信可能であり、
前記第１の部分と前記第２の部分とが分離された場合に、前記ＩＣチップは前記通信装置を利用して前記外部と通信不可能であることを特徴とするＩＣシール。
【請求項１１】
当該ＩＣシールが前記他の物から剥がされる場合に、前記第１の部分と前記第２の部分とが分離することを特徴とする請求項１０に記載のＩＣシール。
【請求項１２】
当該ＩＣシールが前記他の物から剥がされる場合に、前記第１の部分は前記他の物に残り前記第２の部分は前記他の物から剥がれることにより、前記第１の部分と前記第２の部分とが分離することを特徴とする請求項１１に記載のＩＣシール。
【請求項１３】
前記第２の部分の前記接着面の一部が前記第１の部分に貼付けられることにより、前記第１の部分と前記第２の部分とが結合されることする請求項１０から１２の何れかに記載のＩＣシール。
【請求項１４】
前記通信装置は、前記ＩＣチップに対して、当該ＩＣシールの前記接着面の反対側に配置されることを特徴とする請求項１０から１２の何れかに記載のＩＣシール。
【請求項１５】
前記接着面の反対側に形成される記述面を有することを特徴とする請求項１０から１４の何れかに記載のＩＣシール。
【請求項１６】
他の物に接着する為の接着面及び印刷可能な記述面を持つＩＣシールであってデータを記憶するＩＣチップと前記ＩＣチップが外部と通信するために利用する通信装置とを有する前記ＩＣシールを製造するためのＩＣシール製造装置であって、
前記ＩＣチップと前記通信装置の組を複数有する第１のシートを、前記組ごとに切断する第１の切断装置と、
切断された前記第１のシートを、前記接着面を持つ第２のシートに付ける装置と、
前記第１のシートが付けられた前記第２のシートを切断する第２の切断装置とを備え、
切断された前記第２のシートが、前記ＩＣシールとして取り出されることを特徴とするＩＣシール製造装置。
【請求項１７】
前記通信装置を介して前記ＩＣチップと通信すると共に前記記述面に印刷する装置を備えたことを特徴とする請求項１６に記載のＩＣシール製造装置。
【請求項１８】
前記印刷する装置は、前記第１のシートが前記第２のシートに付けられた後でかつ前記ＩＣシールとして取り出される前に、前記通信装置を介して前記ＩＣチップと通信すると共に前記記述面に印刷することを特徴とする請求項１７に記載のＩＣシール製造装置。
【請求項１９】
前記第１のシートが巻かれた第１のロールを装着するための第１の軸と、
前記第２のシートが巻かれた第２のロールを装着するための第２の軸とを備え、
前記第１のシートは、前記第１のロールから前記第１の切断装置へ向かって送り出され、
前記第２のシートは、前記第２のロールから前記第１のシートを第２のシートに付ける装置へ向かってかつ前記第１のシートの下側に送り出されることを特徴とする請求項１６から１８の何れかに記載のＩＣシール製造装置。
【請求項２０】
前記第１のシートを第２のシートに付ける装置は、熱を利用して前記第１のシートを前記第２のシートに付けることを特徴とする請求項１６から１９の何れかに記載のＩＣシール製造装置。
【請求項２１】
前記第１のシートを第２のシートに付ける装置は、切断された前記第１のシートの周囲が前記第２のシートに接着するように、中央部がくびれていることを特徴とする請求項１６から２０の何れかに記載のＩＣシール製造装置。
【請求項２２】
他の物に接着する為の接着面及び印刷可能な記述面を持つＩＣシールであってデータを記憶するＩＣチップと前記ＩＣチップが外部と通信するために利用する通信装置とを有する前記ＩＣシールを製造するためのＩＣシール製造装置であって、
前記ＩＣチップと前記通信装置の組を複数有する第１のシートを、前記組ごとに切断する切断装置と、
切断された前記第１のシートを、前記接着面及び前記記述面を持つ第２のシートに付ける装置と、
前記第１のシートが前記第２のシートに付けられた後でかつ前記ＩＣシールとして取り出される前に、前記通信装置を介して前記ＩＣチップと通信すると共に前記記述面に印刷する装置とを備えたことを特徴とするＩＣシール製造装置。
【請求項２３】
前記第１のシートが巻かれた第１のロールを装着するための第１の軸と、
前記第２のシートが巻かれた第２のロールを装着するための第２の軸とを備え、
前記第１のシートは、前記第１のロールから前記切断装置へ向かって送り出され、
前記第２のシートは、前記第２のロールから前記第１のシートを第２のシートに付ける装置へ向かってかつ前記第１のシートの下側に送り出されることを特徴とする請求項２２に記載のＩＣシール製造装置。
【請求項２４】
前記第１のシートを第２のシートに付ける装置は、熱を利用して前記第１のシートを前記第２のシートに付けることを特徴とする請求項２２又は２３に記載のＩＣシール製造装置。
【請求項２５】
前記第１のシートを第２のシートに付ける装置は、切断された前記第１のシートの周囲が前記第２のシートに接着するように、中央部がくびれていることを特徴とする請求項２２から２４の何れかに記載のＩＣシール製造装置。
【手続補正２】
【補正対象書類名】明細書
【補正対象項目名】発明の名称
【補正方法】変更
【補正の内容】
【発明の名称】ＩＣシール及びＩＣシール製造装置
【手続補正３】
【補正対象書類名】明細書
【補正対象項目名】０００１
【補正方法】変更
【補正の内容】
【０００１】
本発明は、集積回路チップなどの電子回路チップを組込んだシール及びそのシールを製造する装置に関するものである。
【手続補正４】
【補正対象書類名】明細書
【補正対象項目名】０００５
【補正方法】変更
【補正の内容】
【０００５】
このようにＩＣチップの利用範囲は拡大しつつある。しかし現状のＩＣチップ組込み技術では組込める素材はプラスチックなどの一部の素材に限られている。また現状ではＩＣチップを組込む製品は出荷時にすでＩＣチップが組込まれているのが一般的であり、利用者がある物に対してＩＣチップを組込む必要性が生じた段階でＩＣチップを組込むことが困難である。
従来剥された事を検知するシールとして、レンタルビデオカセットの解体を防ぐためのシールやソフトウェアの袋に貼られた未開封を証明するシールなどがある。これらのシールは剥すとシールの色が変色したりシール自体が破れたりする。これらのシールは目視により剥された事が検知可能であるが電子的に検知するのは困難であった。
【手続補正５】
【補正対象書類名】明細書
【補正対象項目名】０００７
【補正方法】変更
【補正の内容】
【０００７】
本発明の目的は、ＩＣシールが剥された事を電子的に検知可能となるＩＣシールを提供することにある。
本発明の目的は、従来埋め込みが困難なものに対してＩＣチップを付加するＩＣシールの製造装置を提供することにある。
【手続補正６】
【補正対象書類名】明細書
【補正対象項目名】０００８
【補正方法】変更
【補正の内容】
【０００８】
本発明のＩＣシールは、他の物に貼付ける為の接着面を片側全面に持つ。そして、ＩＣチップを含む第１の部分（例えば、シート（正））と通信装置を含む第２の部分（例えば、シート（副））に分離可能であり、第１の部分と第２の部分は共に、接着面を有する。さらに、第１の部分と第２の部分とが結合された場合に、ＩＣチップは通信装置を利用して外部と通信可能であり、第１の部分と第２の部分とが分離された場合に、ＩＣチップは通信装置を利用して外部と通信不可能であることを特徴とする。
また、本発明のＩＣシールは、ＩＣチップを含む第１の部分（例えば、シート（正））と通信装置を含む第２の部分（例えば、シート（副））に分離可能であり、第１の部分と第２の部分は共に、接着面を有し、前記第１の部分の前記接着面の粘着力は、前記第２の部分の前記接着面の粘着力よりも強い。さらに、第１の部分と第２の部分とが結合された場合に、ＩＣチップは通信装置を利用して外部と通信可能であり、第１の部分と第２の部分とが分離された場合に、ＩＣチップは通信装置を利用して外部と通信不可能であることを特徴とする。
本発明は、ＩＣチップと通信装置の組を複数有する第１のシートを、１組のＩＣチップと通信装置ごとに切断する第１の切断装置と、切断された第１のシートを、接着面を持つ第２のシートに付ける装置と、第１のシートが付けられた第２のシートを切断する第２の切断装置とを備え、切断された第２のシートが、ＩＣシールとして取り出される。
【手続補正７】
【補正対象書類名】明細書
【補正対象項目名】００１０
【補正方法】変更
【補正の内容】
【００１０】
本発明によれば、ＩＣシールが剥された事を電子的に検知可能となる。
本発明によれば、ＩＣシールの記述面に文字および図柄を印刷できるＩＣシール製造装置を実現できる。